(57)【要約】      （修正有）【課題】壁用または塀用に好適な板材の塗装方法、表面処理方法を提供する。【解決手段】一方向に長い所定厚みの壁用または塀用の板材の塗装方法であって、長手方向を法線とする断面の形状が略平行四辺形であるように、板材の六面のうち最も広い表面１１と裏面１２と長手を共有して接続する上面１３と下面１４とを斜面として形成する工程と、フローコーター２のコンベア２１に、長手方向を移送方向に合わせ裏面１２を下にして載置する工程と、移送と共に、それぞれ上方を向いている表面１１と上面１３を同時に塗装する工程と、を含んだ壁用または塀用の板材の塗装方法。【選択図】図２
2015229888.tif 000002
【特許請求の範囲】
【請求項１】
一方向に長い所定厚みの壁用または塀用の板材の塗装方法であって、
長手方向を法線とする断面の形状が略平行四辺形であるように、板材の六面のうち最も広い面二面と長手を共有して接続する二面を斜面として形成する工程と、
フローコーターの載置移送台に、長手方向を移送方向に合わせ前記最も広い面二面の一方を下にして載置する工程と、
移送と共に、それぞれ上方を向いている前記最も広い面二面の他方およびこれに接続する前記斜面二面の一方を同時に塗装する工程と、
を含んだことを特徴とする壁用または塀用の板材の塗装方法。
【請求項２】
載置移送台に、長手方向を移送方向に合わせ前記最も広い面二面のうちの塗装済みの前記他方を下にして載置する工程と、
移送と共に、それぞれ上方を向いている前記最も広い面二面のうちの未塗装の前記一方およびこれに接続する前記斜面二面のうちの未塗装の他方を同時に塗装する工程と、
を更に含んだことを特徴とする請求項１に記載の板材の塗装方法。
【請求項３】
請求項１または２に記載の塗装方法において、
フローコーターにかえ下方に炎を放射するバーナーを用い、
移送と共に、それぞれ上方を向いている前記最も広い面およびこれに接続する前記斜面を同時に表面処理する工程としたことを特徴とする壁用または塀用の板材の表面処理方法。
【請求項４】
一方向に長い所定厚みの同形の板材であり、
六面のうち最も広い面をその法線方向を水平方向としつつ長手方向も水平方向として配向し、前記最も広い面が同一平面上に位置するように鉛直方向に所定の隙間をあけて並べることにより壁または塀を形成する板材であって、
長手方向を法線とする断面の形状が略平行四辺形であるように、壁または塀を形成した際に位置する上面と下面とを斜面として形成したことを特徴とする壁用または塀用の板材。
【請求項５】
請求項４に記載の板材を、最も広い面の法線方向を水平方向としつつ長手方向も水平方向として配向し、前記斜面の向きを揃えつつ所定の隙間をあけて前記最も広い面が同一平面上に位置するように鉛直方向に並べて形成したことを特徴とする壁または塀。
【請求項６】
上下に隣り合う各板材について、
前記所定の隙間を、下に位置する板材の上面の水平方向上側の辺が、上に位置する板材の下面の水平方向下側の辺より高い位置に来るようにしてあけ、
形成したことを特徴とする請求項５に記載の壁または塀。
【発明の詳細な説明】
【技術分野】
【０００１】
本発明は、板材、その板材を用いた壁または塀、および、その板材の塗装方法に関し、特に、塗装性または表面処理性に優れる板材、省スペース性、使用性に優れる壁または塀に関する。
【背景技術】
【０００２】
従来、家と家、家と道路等の境界にはコンクリートブロック塀が設けられることがある。近年では、コンクリート塀より自然に近く、また、家との調和を重視し、木板の塀が採用される場合がある。例えば、長尺の同形の板材を横渡しして上方に突き合わせて並べ塀面を構築する例が知られている。
【０００３】
そして、多くの場合は単なる突き合わせとせず、雨を外側に出しやるため、木板の下を外、上を内に来るように斜めに傾け、順次重なりを持たせた構造が採用される。更に、家が塀に近接する場合には、木板を離して隙間を持たせ風通しを確保しつつ、水平方向には重なりを持たせて目隠しも実現する構造の塀も多く採用されている。
【０００４】
一方、このような塀用の板材は、防水材その他の塗料を塗布するのが一般的であり、資材の供給元では、板を同一形状に加工し、製造効率の観点からフローコーターにより塗料を塗布する。これにより、大量のストックを備え、供給先からの発注に対応している。
【０００５】
しかしながら、従来の技術では以下の問題点があった。
上述の斜めに配した木板の塀は、傾斜しているために厚みないし奥行きが生じ、設計上の制約が生じてしまうという問題点があった。特に境界ギリギリに建物を建て、塀も造る必要がある場合に問題となっていた。
【０００６】
また、デザイン的にも段々の斜面とならざるを得ず、施主等の趣味感にマッチしない場合もある、という問題点もあった。
【０００７】
また、フローコーターによる塗装は、別途板の両サイドに手塗りが必要であり、製造効率をより高めたいという潜在的な要請もあった。
【先行技術文献】
【特許文献】
【０００８】
【特許文献１】特開２０１２−１２７１８４号公報
【特許文献２】特開２０１１−１６２８８号公報
【発明の概要】
【発明が解決しようとする課題】
【０００９】
本発明は上記に鑑みてなされたものであって、壁や塀の実質的な厚みの増大を招来しない、塗装性ないし表面処理性にも優れる板材を提供することを目的とする。
また、目隠しないし風通しと雨仕舞とを良好としつつ実質的な厚みの増大を招来しない壁または塀を提供することを目的とする。
また、壁用または塀用に好適な板材の塗装方法、表面処理方法を提供することを目的とする。
【課題を解決するための手段】
【００１０】
請求項１に記載の壁用または塀用の板材の塗装方法は、一方向に長い所定厚みの壁用または塀用の板材の塗装方法であって、長手方向を法線とする断面の形状が略平行四辺形であるように、板材の六面のうち最も広い面二面と長手を共有して接続する二面を斜面として形成する工程と、フローコーターの載置移送台に、長手方向を移送方向に合わせ前記最も広い面二面の一方を下にして載置する工程と、移送と共に、それぞれ上方を向いている前記最も広い面二面の他方およびこれに接続する前記斜面二面の一方を同時に塗装する工程と、を含んだことを特徴とする。
【００１１】
すなわち、請求項１にかかる発明は、雨仕舞用、または、目隠し形成用ないし風通し形成用に加工した斜面を利用して塗装性を向上させることができる。
【００１２】
なお、斜面とは、最も広い面に対して傾斜していることを意味する。長手方向を移送方向に合わせるとは、フローコーターにより塗装できれば十分であるため、必ずしも厳密ではなく、概ね長手方向と移送方向が揃っている場合も含むものとする。なお、ここでいう壁用または塀用の板材は、壁用または塀用に好適な形状であるものの、これに限定されることなく、例えば床用に用いてもよい。また、空調の吹き出し口としてあつらえることもできる。
【００１３】
請求項２に記載の板材の塗装方法は、請求項１に記載の塗装方法において、載置移送台に、長手方向を移送方向に合わせ前記最も広い面二面のうちの塗装済みの前記他方を下にして載置する工程と、移送と共に、それぞれ上方を向いている前記最も広い面二面のうちの未塗装の前記一方およびこれに接続する前記斜面二面のうちの未塗装の他方を同時に塗装する工程と、を更に含んだことを特徴とする。
【００１４】
すなわち、請求項２にかかる発明は、簡便に全面塗装を実現できる。換言すれば、両サイドを別塗りする必要なく、２回の塗装で全周塗装を実現する。
【００１５】
請求項３に記載の壁用または塀用の板材の表面処理方法は、請求項１または２に記載の塗装方法において、フローコーターにかえ下方に炎を放射するバーナーを用い、移送と共に、それぞれ上方を向いている前記最も広い面およびこれに接続する前記斜面を同時に表面処理する工程としたことを特徴とする。
【００１６】
すなわち、請求項３にかかる発明は、雨仕舞用、または、目隠し形成用ないし風通し形成用に加工した斜面を利用して表面処理性を向上させることができる。特に、焼き板としてデザイン性にも優れた壁用または塀用の板を提供することができる。
【００１７】
なお、バーナーとは、フローコーターと同様に、帯状に炎が放射されるようにする。表面処理とは主として炭化処理を意味する。
【００１８】
なお、詳しくは、次のように特定される表面処理方法である。
Ａ：
一方向に長い所定厚みの壁用または塀用の板材の表面処理方法であって、
長手方向を法線とする断面の形状が略平行四辺形であるように、板材の六面のうち最も広い面二面と長手を共有して接続する二面を斜面として形成する工程と、
載置移送台に、長手方向を移送方向に合わせ前記最も広い面二面の一方を下にして載置する工程と、
移送と共に、それぞれ上方を向いている前記最も広い面二面の他方およびこれに接続する前記斜面二面の一方を、バーナーにより同時に下方に炎を放射して表面処理する工程と、
を含んだことを特徴とする壁用または塀用の板材の表面処理方法。
【００１９】
Ｂ：
載置移送台に、長手方向を移送方向に合わせ前記最も広い面二面のうちの表面処理済みの前記他方を下にして載置する工程と、
移送と共に、それぞれ上方を向いている前記最も広い面二面のうちの未処理の前記一方およびこれに接続する前記斜面二面のうちの未処理の他方を同時に火炎放射する工程と、
を更に含んだことを特徴とする上記Ａに記載の板材の塗装方法。
【００２０】
請求項４に記載の壁用または塀用の板材は、一方向に長い所定厚みの同形の板材であり、六面のうち最も広い面をその法線方向を水平方向としつつ長手方向も水平方向として配向し、前記最も広い面が同一平面上に位置するように鉛直方向に所定の隙間をあけて並べることにより壁または塀を形成する板材であって、長手方向を法線とする断面の形状が略平行四辺形であるように、壁または塀を形成した際に位置する上面と下面とを斜面として形成したことを特徴とする。
【００２１】
すなわち、請求項４にかかる発明は、壁や塀の実質的な厚みの増大を招来しない、塗装性ないし表面処理性にも優れる板材を提供することが可能となる。
【００２２】
なお、ここでいう壁用または塀用の板材は、壁用または塀用に好適な形状であるものの、これに限定されることなく、床用とすることもできる。これにより、また、空調の吹き出し口としてあつらえることもできる。
【００２３】
請求項５に記載の壁または塀は、請求項４に記載の板材を、最も広い面の法線方向を水平方向としつつ長手方向も水平方向として配向し、前記斜面の向きを揃えつつ所定の隙間をあけて前記最も広い面が同一平面上に位置するように鉛直方向に並べて形成したことを特徴とする。
【００２４】
すなわち、請求項５にかかる発明は、目隠しないし風通しと雨仕舞とを良好としつつ実質的な厚みの増大を招来しない壁または塀を提供することができる。
【００２５】
請求項６に記載の壁または塀は、請求項５に記載の壁または塀において、上下に隣り合う各板材について、前記所定の隙間を、下に位置する板材の上面の水平方向上側の辺が、上に位置する板材の下面の水平方向下側の辺より高い位置に来るようにしてあけ、形成したことを特徴とする。
【００２６】
すなわち、請求項６にかかる発明は、良好な目隠しを実現できる。
【発明の効果】
【００２７】
本発明によれば、壁用または塀用に好適な板材の塗装方法、表面処理方法を提供することができる（請求項１，２，３）。また、壁や塀の実質的な厚みの増大を招来しない、塗装性ないし表面処理性にも優れる板材を提供することが可能となる（請求項４）。また、目隠しないし風通しと雨仕舞とを良好としつつ実質的な厚みの増大を招来しない壁または塀を提供することができる（請求項５，６）。
【図面の簡単な説明】
【００２８】
【図１】本発明の板材の外観図である。このうち、図１ａは斜視外観図を、図１ｂは、平面図を、図１ｃは、右側面図をそれぞれ示している。
【図２】板材をフローコーターにて塗装する様子を示した模式概念図である。コンベアのローラーは省略してあり、また、板材の長手方向を便宜上短く描画している。
【図３】本発明の塗装方法により塗装された、本発明の板材を用いた塀の斜視断面図である。図３ａは、右側を部分断面図としている。図３ｂは、断面部分の拡大図である。
【発明を実施するための形態】
【００２９】
以下、本発明の実施の形態を図面を参照しながら詳細に説明する。なお、説明の便宜上図の縮尺は適宜異ならせて描画している。ここでは、まず、板材および塗装方法について説明し、次に、塗装済みの板材を用いた塀について説明する。
【００３０】
図１は、本発明の板材の外観図である。図示したように、板材１は、長尺ものの板であって、表面１１と裏面１２とが平行の関係にあり最も広い面を形成している。上面１３および下面１４は表面１１と裏面１２と長手を共有して接続する面であって、表面１１に対し上面１３、また、裏面１２に対し下面１４は、傾斜してそれぞれ連続する関係にある。より詳しくは、上面１３の法線と表面１１の法線とは、そして、下面１４の法線と裏面１２の法線とは、同一の鋭角θをなす関係であり、ちょうど、右端面１５または左端面１６（または長手方向を法線とする断面）の形状が平行四辺形であるように形成されている。
【００３１】
この板材１は、製材過程において、粗材を鉋掛けして厚みを揃えつつ平滑な表面１１および裏面１２を形成し、両サイドについても、二つのノコギリまたは二つの鉋の歯を平行関係を保ちつつ傾斜させ、上面１３および下面１４を同時に形成するようにする。なお、使用の態様により、一旦両サイドを表面１１（または裏面１２）に対して垂直にして断面を形成し、その後、斜面を形成するように切断等してもよい。なお、長手方向の長さも適宜整える。
【００３２】
板材１の材質は特に限定されず、例えば、杉や桧を挙げることができる。
【００３３】
次に、この板材１を塗装する。図２は、板材１をフローコーターにて塗装する様子を示した模式概念図である。図示したように、塗装にあたっては、フローコーター２のコンベア２１に、板材１の長手方向を移送方向に合わせ裏面１２を下にして載置する。コンベア２１による移送に従って、それぞれ上方を向いている板材１の表面１１と上面１３とがヘッダ２２から落下するカーテン様の塗料をくぐり抜け二面全面に塗装がなされる。
【００３４】
適宜乾燥後、板材１を逆さに載置し、すなわち、表面１１を下にしてコンベア２１に置く。移送に従って、板材１の裏面１２と下面１４とが塗料をくぐり抜けて塗装がなされる。
【００３５】
従って、板材１は、一回の塗装により２面を塗ることができ、二回の塗装により実質的に全面を塗ることができるので、生産性を高める塗装方法である。なお、図では説明の便宜上板材１を一枚移送する例として説明したが、適宜コンベア２１に複数載置して、塗装効率を高めてもよい。一度塗りに限定されず、片側二度塗りとしてもよく、下地と本塗りのように、別の塗料を塗るようにしてもよい。
【００３６】
なお、塗料は適宜選択可能である。単なる色づけでなく、防水性、防虫性、防腐性等の機能成分を含有したものであっても良い。近年、再評価されつつある自然塗料、例えば、柿渋を採用することもできる。
【００３７】
次に、この塗装済み板材１を用いた塀について説明する。図３は、本発明の塗装方法により塗装された、本発明の板材を用いた塀の斜視断面図である。図示したように、塀３は、板材１を、その長手をいずれも水平にして、表面１１を傾けることなく同一平面上に位置させるようにして、鉛直に並べて構成される。なお、適宜、支柱３１により板材１の右端や左端を挟んで保持し、横方向に任意の長さの塀とすることも可能である。
【００３８】
また、部分拡大断面図として示したように、塀３の上下に隣り合う各板材１については、下に位置する板材１ｄの上面１３ｄの水平方向上側の辺１３１ｄが、上に位置する板材１ｕの下面１４ｕの水平方向下側の辺１４１ｕより高い位置に来るようにして、所定間隔あけている。
【００３９】
これにより、通気性および雨仕舞を良好としつつ、目隠しともなる塀３が構築できる。特に、従来の板塀のように、下の板材の上面と上の板材の下面を単に突き合わせた態様では、当接部分に腐食が発生し、また、板の狂いによる隙間が発生するところ、これがない。また、板材を斜めに傾けて構成する場合のような、塀の実質的な厚みの増大を招来することなく、設計自由度を高める塀であるともいえる。塀面が段々とならずフラットであるのでデザイン性にも優れる。
【００４０】
本発明は、上記の例に限定されない。塀でなく、家の外壁材として用いることもできる。この場合、塗装は片面だけとすることもできる。鎧板とは異なる新たな意匠となり、好適である。なおこの場合も、板材１の向きを塀３と同様な上下関係として、埃や雨水がたまらないようにする。
【００４１】
なお、塗装に限らず、焼き板、例えば、焼杉板として塀または壁を構築することもできる。この場合、一列に火口を配したバーナーで二面（表面と上面、または、裏面と下面）ずつ炭化処理でき、塗装と同様に生産性を高めることができる。焼き板とすることにより耐久性が高まり、かつ、木目の濃淡がより鮮明に表れるので、デザイン性に優れる。
【００４２】
なお、目隠しを特に必要としない場合には、板材の間隔をあけてもよい。すなわち、上下に隣り合う各板材１について、下に位置する板材１ｄの上面１３ｄの水平方向上側の辺１３１ｄより、上に位置する板材１ｕの下面１４ｕの水平方向下側の辺１４１ｕが高い位置に来るように配してもよい。この場合であっても、表面または裏面を伝って下面１４に至った雨水も辺１４１部分の端部が鋭角であることにより速やかに落ち、腐食等が発生しにくい。
【産業上の利用可能性】
【００４３】
本発明の板材は、壁や塀のみならず、例えば肉厚にして、公園などに設置される遊具の部材に用いることもできる。なお、屋内の構造材や建材として採用することもできる。例えば、床に用いてもよい。また、空調の吹き出し口としてあつらえることもできる。すなわち、鉛直に並べると雨仕舞等に好適であるが、目かくしとするのであれば、請求項にいう同一平面の向きは特に限定されない。
【符号の説明】
【００４４】
１，１ｄ，１ｕ           板材
１１     表面
１２     裏面
１３，１３ｄ   上面
１３１ｄ          上面１３ｄの水平方向上側の辺
１４，１４ｕ   下面
１４１，１４１ｕ        下面１４ｕの水平方向下側の辺
１５     右端面
１６     左端面
２        フローコーター
２１     コンベア
２２     ヘッダ
３        塀
３１     支柱
【図１】
2015229888.tif 000003
【図２】
2015229888.tif 000004
【図３】
2015229888.tif 000005